(57)【要約】      （修正有）【課題】磁化処理を重複して行なうことができる水の磁化装置を提供する。【解決手段】防塵ケーシングに水磁化器が収納されており、水磁化器は、上部固定台２１と、下部固定台２２と、上部固定台２１と下部固定台２２との間に接続される複数の通水管２３と、通水管２３外部に嵌設される複数の磁石リング２４とからなる。上部固定台２１および下部固定台２２は通水管２３に相対するように水路ガイド２１２、２１２Ａ、２２２、２２２Ａを有し、水は、上部固定台２１に進入した後、水路ガイド２１２、２１２Ａ、２２２、２２２Ａによって方向がガイドされ、上部固定台２１と下部固定台２２との間の上下に通じる全ての通水管２３を通過し、磁化処理が重複して行われる。【選択図】図４
0003116118.tif 000002
【実用新案登録請求の範囲】
【請求項１】
防塵ケーシングに水磁化器が収納されており、
前記水磁化器は、上部固定台と、下部固定台と、上部固定台と下部固定台との間に接続される複数の通水管と、通水管外部に嵌設される複数の磁石リングとからなり、
前記上部固定台は、上端が防塵ケーシングの入水部に相対しており、入水プラグが設けられて入水部と接続されており、底端には複数の管接続部が設けられ、通水管が接続され、内部は、入水プラグと管接続部とが連通しており、複数の上部水路ガイドを有し、入水プラグはその中の一上部水路ガイドを介して通水管と連通しており、
前記下部固定台は、底端が防塵ケーシングの出水部に相対しており、出水接続管が設けられて出水部と接続され、上面端部は前記上部固定台の管接続部に相対しており、対応するように複数の管接続部が設けられ、通水管と接続されており、内部は、出水接続管と管接続部とが連通しており、複数の下部水路ガイドを有し、出水接続管はその中の一下部水路ガイドを介して通水管と連通しており、
前記複数の通水管は、両端にオイルシール部材が設けられ、上部固定台の管接続部と下部固定台の管接続部とに接続され、それぞれの通水管と上部固定台の管接続部および下部固定台の管接続部との接続に関して、上部固定台内部の一上部水路ガイドと下部固定台内部の一下部水路ガイドとだけが連通しており、
前記複数の磁石リングは、前記通水管外部に重なるように嵌設されており、磁石リングと磁石リングとの間には透磁性を有さない間隔リングが設けられて磁石リングを隔離し、通水管内部に磁場を形成しており、
防塵ケーシングの入水部から進入した水は、水磁化器の上部固定台に進入した後、上部固定台内の上部水路ガイドおよび下部固定台内の下部水路ガイドによって方向がガイドされ、上部固定台と下部固定台との間の上下に通じる通水管を通過し、通水管外部の磁石リングによって通水管内部を流れる水は磁化され、下部固定台の出水接続管から防塵ケーシング外部に出水されるまでに、磁化処理が重複して行われ、更に優れた磁化効果を得ることができ、水は通水管内を流れ、磁石リングと接触しないので、水質が汚染されることがないことを特徴とする水の磁化装置。
【請求項２】
前記通水管外部に嵌設された複数の磁石リングは、偶数の磁極が磁化されたＮ極とＳ極とが対応したリングであり、間隔リングによって両隣の磁石リングは隔離され、通水管内部に磁場を形成し、通水管内部に水が流れることによって、水の磁化処理が行なわれることを特徴とする請求項１記載の水の磁化装置。
【請求項３】
前記上部固定台と下部固定台との間に接続された複数の通水管は、それぞれの通水管の外部に複数の磁石リングが嵌設され、前記通水管と通水管との間には、上部固定台と下部固定台とによって固定された磁気遮蔽板によって、通水管の磁石リングの磁気が遮蔽され、両隣の通水管の磁石リングから発生する磁場はお互いに干渉し合わないことを特徴とする請求項１記載の水の磁化装置。
【請求項４】
前記複数の通水管が接続された上部固定台は、入水プラグを有する入水部台と、複数の管接続部を有する第１の管接続台とからなり、前記入水部台と第１の管接続台との接続面はそれぞれ対応する形状の複数の水路槽枠を有し、入水部台と第１の管接続台とを接続しており、水路槽枠によって上部固定台内部に複数の上部水路ガイドが形成されていることを特徴とする請求項１記載の水の磁化装置。
【請求項５】
前記複数の通水管が接続された下部固定台は、出水接続管が設けられた出水部台と、複数の管接続部を有する第２の管接続台とからなり、前記出水部台と第２の管接続台との接続面はそれぞれ対応する形状の水流槽枠を有し、出水部台と第２の管接続台とを接続しており、水流槽枠によって下部固定台内部に複数の下部水路ガイドが形成されていることを特徴とする請求項１記載の水の磁化装置。
【請求項６】
前記複数の通水管が接続された上部固定台と下部固定台とには、相対するように複数の固定孔が設けられ、複数の固定ロッドがそれぞれの固定孔内を貫通して固定され、複数の通水管を上部固定台と下部固定台との間で更に緊密に固定していることを特徴とする請求項１記載の水の磁化装置。
【考案の詳細な説明】
【技術分野】
【０００１】
本考案は水に対する磁化処理を重複して行なうことができる水の磁化装置に関する。
【背景技術】
【０００２】
従来技術による磁化装置は、概ね台湾専利公告第３０３８８２号の水の磁化装置に示すようなものである。中空の筒状の容器内には収容空間が設けられ、容器の一端には入水管が設けられている。収容空間内には内管が設けられ、内管の内部は収容空間と通じた複数の貫通孔を有し、内管の一端は容器に伸びて出口を形成しており、内管の軸方向には間隔を空けて複数の磁石リングが設けられ、磁石リングは中心線を境界として半円形の磁極が形成されている。このような設計によって、内管を流れる水は磁化されるが、水は内管を一度流れるだけであり、仮に水量が多くて水流が速い場合には磁化作用には限界がある。また、磁石リングが水と直接接触するので、磁石リングが酸化する可能性があり、水質汚染を招く可能性がある。従って、上述の欠点を解決する必要があった。
【考案の開示】
【考案が解決しようとする課題】
【０００３】
本考案の目的は、防塵ケーシングに水磁化器が収納されており、水磁化器は、上部固定台と、下部固定台と、上部固定台と下部固定台との間に接続される複数の通水管と、通水管外部に嵌設される複数の磁石リングとからなり、上部固定台は、上端が防塵ケーシングの入水部に相対しており、入水プラグが設けられて入水部と接続されており、底端には複数の管接続部が設けられ、通水管が接続され、内部は、入水プラグと管接続部とが連通しており、複数の上部水路ガイドを有し、入水プラグはその中の一上部水路ガイドを介して通水管と連通しており、下部固定台は、底端が防塵ケーシングの出水部に相対しており、出水接続管が設けられて出水部と接続され、上面端部は上部固定台の管接続部に相対しており、対応するように複数の管接続部が設けられ、通水管と接続されており、内部は、出水接続管と管接続部とが連通しており、複数の下部水路ガイドを有し、出水接続管はその中の一下部水路ガイドを介して通水管と連通しており、複数の通水管は、両端にオイルシール部材が設けられ、上部固定台の管接続部と下部固定台の管接続部とに接続され、それぞれの通水管と上部固定台の管接続部および下部固定台の管接続部との接続に関して、上部固定台内部の一上部水路ガイドと下部固定台内部の一下部水路ガイドとだけが連通しており、複数の磁石リングは、通水管外部に重なるように嵌設されており、磁石リングと磁石リングとの間には透磁性を有さない間隔リングが設けられて磁石リングを隔離し、通水管内部に磁場を形成しており、防塵ケーシングの入水部から進入した水は、水磁化器の上部固定台に進入した後、上部固定台内の上部水路ガイドおよび下部固定台内の下部水路ガイドによって方向がガイドされ、上部固定台と下部固定台との間の上下に通じる通水管を通過し、通水管外部の磁石リングによって通水管内部を流れる水は磁化され、下部固定台の出水接続管から防塵ケーシング外部に出水されるまでに、磁化処理が重複して行われ、更に優れた磁化効果を得ることができ、水は通水管内を流れ、磁石リングと接触しないので、水質が汚染されることがない水の磁化装置を提供することにある。
【０００４】
本考案の第２の目的は、通水管外部に嵌設された複数の磁石リングは、偶数の磁極が磁化されたＮ極とＳ極とが対応したリングであり、間隔リングによって両隣の磁石リングは隔離され、通水管内部に磁場を形成し、通水管内部に水が流れることによって、水の磁化処理が行なわれる水の磁化装置を提供することにある。
【０００５】
本考案の第３の目的は、上部固定台と下部固定台との間に接続された複数の通水管は、それぞれの通水管の外部に複数の磁石リングが嵌設され、通水管と通水管との間には、上部固定台と下部固定台とによって固定された磁気遮蔽板によって、通水管の磁石リングの磁気が遮蔽され、両隣の通水管の磁石リングから発生する磁場はお互いに干渉し合わない水の磁化装置を提供することにある。
【０００６】
本考案の第４の目的は、複数の通水管が接続された上部固定台は、入水プラグを有する入水部台と、複数の管接続部を有する第１の管接続台とからなり、入水部台と第１の管接続台との接続面はそれぞれ対応する形状の複数の水路槽枠を有し、入水部台と第１の管接続台とを接続しており、水路槽枠によって上部固定台内部に複数の上部水路ガイドが形成されている水の磁化装置を提供することにある。
【０００７】
本考案の第５の目的は、複数の通水管が接続された下部固定台は、出水接続管が設けられた出水部台と、複数の管接続部を有する第２の管接続台とからなり、出水部台と第２の管接続台との接続面はそれぞれ対応する形状の水流槽枠を有し、出水部台と第２の管接続台とを接続しており、水流槽枠によって下部固定台内部に複数の下部水路ガイドが形成されている水の磁化装置を提供することにある。
【０００８】
本考案の第６の目的は、複数の通水管が接続された上部固定台と下部固定台とには、相対するように複数の固定孔が設けられ、複数の固定ロッドがそれぞれの固定孔内を貫通して固定され、複数の通水管を上部固定台と下部固定台との間で更に緊密に固定している水の磁化装置を提供することにある。
【課題を解決するための手段】
【０００９】
上述の目的を解決するために、請求項１の考案は、防塵ケーシングに水磁化器が収納されており、水磁化器は、上部固定台と、下部固定台と、上部固定台と下部固定台との間に接続される複数の通水管と、通水管外部に嵌設される複数の磁石リングとからなり、上部固定台は、上端が防塵ケーシングの入水部に相対しており、入水プラグが設けられて入水部と接続されており、底端には複数の管接続部が設けられ、通水管が接続され、内部は、入水プラグと管接続部とが連通しており、複数の上部水路ガイドを有し、入水プラグはその中の一上部水路ガイドを介して通水管と連通しており、下部固定台は、底端が防塵ケーシングの出水部に相対しており、出水接続管が設けられて出水部と接続され、上面端部は上部固定台の管接続部に相対しており、対応するように複数の管接続部が設けられ、通水管と接続されており、内部は、出水接続管と管接続部とが連通しており、複数の下部水路ガイドを有し、出水接続管はその中の一下部水路ガイドを介して通水管と連通しており、複数の通水管は、両端にオイルシール部材が設けられ、上部固定台の管接続部と下部固定台の管接続部とに接続され、それぞれの通水管と上部固定台の管接続部および下部固定台の管接続部との接続に関して、上部固定台内部の一上部水路ガイドと下部固定台内部の一下部水路ガイドとだけが連通しており、複数の磁石リングは、通水管外部に重なるように嵌設されており、磁石リングと磁石リングとの間には透磁性を有さない間隔リングが設けられて磁石リングを隔離し、通水管内部に磁場を形成しており、防塵ケーシングの入水部から進入した水は、水磁化器の上部固定台に進入した後、上部固定台内の上部水路ガイドおよび下部固定台内の下部水路ガイドによって方向がガイドされ、上部固定台と下部固定台との間の上下に通じる通水管を通過し、通水管外部の磁石リングによって通水管内部を流れる水は磁化され、下部固定台の出水接続管から防塵ケーシング外部に出水されるまでに、磁化処理が重複して行われ、更に優れた磁化効果を得ることができ、水は通水管内を流れ、磁石リングと接触しないので、水質が汚染されることがないことを特徴とする水の磁化装置である。
【００１０】
請求項２の考案は、通水管外部に嵌設された複数の磁石リングは、偶数の磁極が磁化されたＮ極とＳ極とが対応したリングであり、間隔リングによって両隣の磁石リングは隔離され、通水管内部に磁場を形成し、通水管内部に水が流れることによって、水の磁化処理が行なわれることを特徴とする請求項１記載の水の磁化装置である。
【００１１】
請求項３の考案は、上部固定台と下部固定台との間に接続された複数の通水管は、それぞれの通水管の外部に複数の磁石リングが嵌設され、通水管と通水管との間には、上部固定台と下部固定台とによって固定された磁気遮蔽板によって、通水管の磁石リングの磁気が遮蔽され、両隣の通水管の磁石リングから発生する磁場はお互いに干渉し合わないことを特徴とする請求項１記載の水の磁化装置である。
【００１２】
請求項４の考案は、複数の通水管が接続された上部固定台は、入水プラグを有する入水部台と、複数の管接続部を有する第１の管接続台とからなり、入水部台と第１の管接続台との接続面はそれぞれ対応する形状の複数の水路槽枠を有し、入水部台と第１の管接続台とを接続しており、水路槽枠によって上部固定台内部に複数の上部水路ガイドが形成されていることを特徴とする請求項１記載の水の磁化装置である。
【００１３】
請求項５の考案は、複数の通水管が接続された下部固定台は、出水接続管が設けられた出水部台と、複数の管接続部を有する第２の管接続台とからなり、出水部台と第２の管接続台との接続面はそれぞれ対応する形状の水流槽枠を有し、出水部台と第２の管接続台とを接続しており、水流槽枠によって下部固定台内部に複数の下部水路ガイドが形成されていることを特徴とする請求項１記載の水の磁化装置である。
【００１４】
請求項６の考案は、複数の通水管が接続された上部固定台と下部固定台とには、相対するように複数の固定孔が設けられ、複数の固定ロッドがそれぞれの固定孔内を貫通して固定され、複数の通水管を上部固定台と下部固定台との間で更に緊密に固定していることを特徴とする請求項１記載の水の磁化装置である。
【考案の効果】
【００１５】
入水プラグから進入した水は、第２の上部水路ガイドによって、第１の通水管にガイドされ、下方に流れて第１の下部水路ガイドに進入する。第１の下部水路ガイドは水を第２の通水管にガイドし、水は上方の第１の上部水路ガイドに達する。水は第１の上部水路ガイドによるガイドによって、第３の通水管に流れ、下方に流れて第２の下部水路ガイドに達し、最後に第２の下部水路ガイドによってガイドされて出水接続管から排出される。この過程において、水は順番にすべての通水管を流れるので、通水管上の磁石リングによって磁化処理が重複して行なわれ、小さな体積において、理想的な磁化が行なわれる。
【考案を実施するための最良の形態】
【００１６】
図１、２、３に示すように、防塵ケーシング１０内に封止蓋１１によって固定された水磁化器２０が収納されている。図４に示すように、水磁化器２０は上部固定台２１と、下部固定台と、上部固定台２１と下部固定台２２との間に接続される複数の通水管２３と、通水管２３外部に嵌設される複数の磁石リング２４とからなる。
【００１７】
図３に示すように、上部固定台２１は、上端が防塵ケーシング１０の封止蓋１１上の入水部１１０に相対しており、入水プラグ２１０が設けられて入水部１１０と接続されており、図５、６に示すように、底端には複数の管接続部２１１が設けられ、通水管２３が接続され、内部は、入水プラグ２１０と管接続部２１１とが連通しており、複数の上部水路ガイド２１２、２１２Ａを有し、入水プラグ２１０はその中の一上部水路ガイド２１２Ａを介して通水管２３と連通している。
【００１８】
図３、４に示すように、下部固定台２２は、底端が防塵ケーシング１０の出水部１００に相対しており、出水接続管２２０が設けられて出水部１００と接続され、上面端部は上部固定台２１の管接続部２１１に相対しており、対応するように複数の管接続部２２１が設けられ、通水管２３と接続されており、図６に示すように、内部は、出水接続管２２０と管接続部２２１とが連通しており、複数の下部水路ガイド２２２、２２２Ａを有し、出水接続管２２０はその中の一下部水路ガイド２２２Ａを介して通水管２３と連通している。
【００１９】
図４に示すように、複数の通水管２３は、両端にオイルシール部材２３０が設けられ、上部固定台２１の管接続部２１１と下部固定台２２の管接続部２２１とに接続され、図６に示すように、それぞれの通水管２３と上部固定台２１の管接続部２３および下部固定台２２の管接続部２２１との接続に関して、上部固定台２１内部の一上部水路ガイド２１２（２１２Ａ）と下部固定台２２内部の一下部水路ガイド２２２Ａ（２２２）とだけが連通している。
【００２０】
図４、７、８に示すように、複数の磁石リング２４は、通水管２３外部に重なるように嵌設されており、磁石リング２４と磁石リング２４との間には透磁性を有さない間隔リング２５が設けられて磁石リング２４を隔離し、通水管２３内部に磁場を形成している。
【００２１】
図３、９に示すように、防塵ケーシング１０の封止蓋１１上の入水部１１から進入した水は、水磁化器２０の上部固定台２１に進入した後、図９に示すように、上部固定台２１内の上部水路ガイド２１２、２１２Ａおよび下部固定台２２内の下部水路ガイド２２２、２２２Ａによって方向がガイドされ、上部固定台２１と下部固定台２２との間の上下に通じる通水管２３を通過し、通水管２３外部の磁石リング２４によって通水管２３内部を流れる水は磁化され、下部固定台２２の出水接続管２２０から防塵ケーシング１０外部に出水されるまでに、磁化処理が重複して行われ、更に優れた磁化効果を得ることができる。水は通水管２３内を流れ、磁石リング２４と接触しないので、水質が汚染されることがない。
【００２２】
図４、７、８に示す通水管２３外部に嵌設された複数の磁石リング２４は、図１０、１１に示すように、二極（または四極または八極など）の偶数の磁極が磁化されたＮ極とＳ極とが対応したリングであり、間隔リング２５によって両隣の磁石リング２４は隔離され、通水管２３内部に磁場を形成し、通水管２３内部に水が流れることによって、水の磁化処理が行なわれる。
【００２３】
図４に示すように、上部固定台２１と下部固定台２２との間に接続された複数の通水管２３は、それぞれの通水管２３の外部に複数の磁石リング２４が嵌設され、図７、８に示すように、通水管２３と通水管２３との間には、上部固定台２１と下部固定台２２とよって固定された三枚の磁気遮蔽板２６によって、通水管の磁石リングの磁気が遮蔽され、両隣の通水管の磁石リング２４から発生する磁場はお互いに干渉し合わない。
【００２４】
図４、５、６に示すように、上部固定台２１の三つの管接続部２１１および下部固定台２２の三つの管接続部２２１は三本の通水管２３と接続されている。
【００２５】
上部固定台２１は、入水プラグ２１０を有する入水部台２１Ａと、三つの管接続部２１１を有する第１の管接続台２１Ｂとからなり、入水部台２１Ａと第１の管接続台２１Ｂとの接続面はそれぞれ二つの対応する形状の複数の水路槽枠２１３Ａ、２１３Ｂを有し、入水部台２１Ａと第１の管接続台２１Ｂとを接続しており、水路槽枠２１３Ａ、２１３Ｂによって、上部固定台２１内部に、二つの管接続部２１１上の通水管２３と通じた上部水路ガイド２１２と、もう一つの管接続部２１１上の通水管２３と通じており、さらに入水プラグ２１０とも通じた第２の上部水路ガイド２１２Ａとが形成されている。
【００２６】
下部固定台２２は、出水接続管２２０が設けられた出水部台２２Ａと、三つの管接続部２２１を有する第２の管接続台２２Ｂとからなり、出水部台２２Ａと第２の管接続台２２Ｂとの接続面はそれぞれ二つの対応する形状の水流槽枠２２３Ａ、２２３Ｂを有し、出水部台２２Ａと第２の管接続台２２Ｂとを接続しており、水流槽枠２２３Ａ、２２３Ｂによって、下部固定台２２内部に、二つの管接続部２２１上の通水管２３と通じた第１の下部水路ガイド２２２と、もう一つの管接続部２２１上の通水管２３と通じており、出水接続管２２０とも通じた第２の下部水路ガイド２２２Ａとが形成されている。
【００２７】
図９に示すように、入水プラグ２１０から進入した水は、第２の上部水路ガイド２１２Ａによって、第１の通水管２３にガイドされ、下方に流れて第１の下部水路ガイド２２２に進入する。第１の下部水路ガイド２２２は水を第２の通水管２３にガイドし、水は上方の第１の上部水路ガイド２１２に達する。水は第１の上部水路ガイド２１２によるガイドによって、第３の通水管２３に流れ、下方に流れて第２の下部水路ガイド２２２Ａに達し、最後に第２の下部水路ガイド２２２Ａによってガイドされて出水接続管２２０から排出される。この過程において、水は順番にすべての通水管２３を流れるので、通水管２３上の磁石リング２４によって磁化処理が重複して行なわれ、小さな体積において、理想的な磁化が行なわれる。
【００２８】
図４に示すように、三本の通水管２３が接続された上部固定台２１と下部固定台２２とには、相対するように三つの固定孔２７が設けられ、それぞれの固定孔２７には固定ロッド２８が貫通して固定され、三本の通水管２３を上部固定台２１と下部固定台２２との間で更に緊密に固定している。
【００２９】
図３、４に示すように、磁石リング２４による通水管２３上の磁場と、水流方向の好適な設定があれば良いので、水を出水接続管２２０端の防塵ケーシング１０の出水部１００から進入させ、入水プラグ２１０端の封止蓋１１の入水部１１０から出水する方式を採用して水の磁化処理を行なうこともできる。また、作業環境の違いによって、防塵ケーシング１０と封止蓋１１とを取捨選択することもできる。また、水の磁化処理効果について、それぞれの通水管２３上の磁石リング２４は水が通水管２３を通過する順番に基づいて、異なる通水管２３上の磁石リング２４を異なる磁束密度（ＧＳ）を磁化した磁石リング２４とすることができ、水に対して磁化処理が重複して行なわれた後、予め定められた磁化効果が得られる。
【００３０】
水に対する磁化処理機能は、通水管２３の数量を増減させたときの入出水口の位置関係によって決定され、実際に実施する上では、防塵ケーシングに加えられる入出水口の位置の変更に基づくものであり、上部固定台２１上に入水および出水を兼ねたプラグを設けたり、または、下部固定台上に入水および出水を兼ねた接続管を設けて水の磁化処理を行うことによっても同様に予め定められた効果を得ることができる。
【００３１】
以上の説明は、本考案の好適な実施例を示すものであり、同等効果の簡易な変更は本考案に含まれる。
【図面の簡単な説明】
【００３２】
【図１】本考案による水の磁化装置を示す外観図である。
【図２】本考案による水の磁化装置の構造を示す分解図である。
【図３】本考案による水の磁化装置の構造を示す縦方向断面図である。
【図４】本考案による水の磁化装置の水磁化器の構造を示す分解図である。
【図５】本考案による水の磁化装置の水磁化器を示す上面図である。
【図６】本考案による水の磁化装置の水磁化器の構造を示す縦方向断面図である。
【図７】本考案による水の磁化装置の水磁化器を示す側面図である。
【図８】本考案による水の磁化装置の水磁化器を示す横方向断面図である。
【図９】本考案による水の磁化装置の水磁化器に水が流れる様子を示す模式図である。
【図１０】本考案による水の磁化装置の水磁化器の磁石リングを示す上面図である。
【図１１】本考案による水の磁化装置の水磁化器の磁石リングの設置状態を示す縦方向断面図である。
【符号の説明】
【００３３】
１０      防塵ケーシング
１００    出水部
１１      封止蓋
１１０    入水部
２０      水磁化器
２１      上部固定台
２１Ａ    入水部台
２１Ｂ    第１の管接続台
２１０    入水プラグ
２１１    管接続部
２１２、２１２Ａ  上部水路ガイド
２１３Ａ、２１３Ｂ  水路槽枠
２２      下部固定台
２２Ａ    出水部台
２２Ｂ    第２の管接続台
２２０    出水接続管
２２１    管接続部
２２２、２２２Ａ  下部水路ガイド
２２３Ａ、２２３Ｂ  水流槽枠
２３      通水管
２３０    オイルシール部材
２４      磁石リング
２５      間隔リング
２６      磁気遮蔽板
２７      固定孔
２８      固定ロッド
【図１】
0003116118.tif 000003
【図２】
0003116118.tif 000004
【図３】
0003116118.tif 000005
【図４】
0003116118.tif 000006
【図５】
0003116118.tif 000007
【図６】
0003116118.tif 000008
【図７】
0003116118.tif 000009
【図８】
0003116118.tif 000010
【図９】
0003116118.tif 000011
【図１０】
0003116118.tif 000012
【図１１】
0003116118.tif 000013